(57)【要約】【課題】  香りを漂わせる本来の作用と物体を視認させる作用との複合作用によって、興趣性を高めることでリフレッシュ効果を相乗的に向上させることができる自動車用芳香装置を提供する。【解決手段】  ガラスまたは透明樹脂などの透光性材料によって成形した容器２にゲル状芳香剤３を収納し、ゲル状芳香剤３に興趣性の高い物体６を封入する。これによって、物体６を視認することができるので、ゲル状芳香剤３が香りを漂わせる本来の作用と、物体６の視認により興趣性が高められる作用との複合作用によって、リフレッシュ効果を相乗的に向上させる。【選択図】        図１
0003119902.tif 000002
【実用新案登録請求の範囲】
【請求項１】
透光性の容器にゲル状芳香剤が収納されているとともに、ゲル状芳香剤に興趣性の高い物体を封入または浮上させていることを特徴とする自動車用芳香装置。
【請求項２】
請求項１に記載の自動車用芳香装置において、
ゲル状芳香剤が興趣性の高い物体に調和する芳香を発散する芳香剤であることを特徴とする自動車用芳香装置。
【請求項３】
請求項１または請求項２のいずれかに記載の自動車用芳香装置において、
上記興趣性の高い物体が光鮮やか性に優れた物体であることを特徴とする自動車用芳香装置。
【請求項４】
請求項１，請求項２または請求項３のいずれかに記載の自動車用芳香装置において、
ゲル状芳香剤にコレステリック液晶の粉末が混入されていることを特徴とする自動車用芳香装置。
【考案の詳細な説明】
【技術分野】
【０００１】
本考案は、快適な車室空間を造りだすことができる自動車用芳香装置に関するものである。
【背景技術】
【０００２】
従来、快適な車室空間を造りだすことができる自動車用芳香装置が提供されている（たとえば、特許文献１）。
【０００３】
前記特許文献１に記載された自動車用芳香装置は、液体、固体、粒体あるいはゲル状の芳香剤を収納した容器に、振動により発光する発光ダイオードユニットを設けたものである。
【０００４】
【特許文献１】実用新案登録第３０５７８５９号公報
【考案の開示】
【考案が解決しようとする課題】
【０００５】
しかし、前記特許文献１に記載されている自動車用芳香装置は、香りを漂わせる本来の作用に振動による発光を視認させるだけの単純なものにしか過ぎない。このため、興趣性が低く高いリフレッシュ効果を期待することができない難点を有している。
【０００６】
本考案は、このような問題を解決するものであって、香りを漂わせる本来の作用と物体を視認させる作用との複合作用によって、興趣性を高めることでリフレッシュ効果を相乗的に向上させることができる自動車用芳香装置を提供することにある。
【課題を解決するための手段】
【０００７】
本考案に係る自動車用芳香装置は、透光性の容器にゲル状芳香剤が収納されているとともに、ゲル状芳香剤に興趣性の高い物体を封入または浮上させていることを特徴とするものである。
【０００８】
これによれば、ゲル状芳香剤に封入または浮上させている興趣性の高い物体を視認することができる。このため、ゲル状芳香剤が香りを漂わせる本来の作用と、封入または浮上物体の視認により興趣性が高められる作用との複合作用によって、リフレッシュ効果を相乗的に向上させることができる。
【０００９】
本考案に係る自動車用芳香装置は、ゲル状芳香剤によって、前記興趣性の高い物体に調和する芳香を発散させることが望ましい。これによると、封入または浮上物体の視認により興趣性が高められる作用に加えて、視認した物体に調和する香りを感じさせることができるので、リフレッシュ効果をより一層向上させることができる。
【００１０】
また、本考案に係る自動車用芳香装置は、前記興趣性の高い物体が光鮮やか性に優れた物体であることが望ましい。ここに「光鮮やか性に優れた物体」とは、物体に光が照射されるとき光鮮やかに見える物体を示すもので、たとえば、金メッキされた金属とか、白い鳥の羽のようなものである。
【００１１】
これによれば、封入または浮上物体の視認により興趣性が高められる作用に加えて、視認した物体に光が照射されるとき、その物体が光線により光り鮮やかに輝くように見えるため、独特な光鮮やか性を醸し出すことができると共に、光鮮やかな雰囲気の視認を加味させることができ、リフレッシュ効果の向上を助長することができる。
【００１２】
また、本考案に係る自動車用芳香装置は、ゲル状芳香剤にコレステリック液晶の粉末を混入することが望ましい。これによると、コレステリック液晶の粉末が、白色光のもとで特定波長領域の光を選択的に反射する光輝剤として作用し、独自の光輝雰囲気を醸し出すので、前記封入または浮上物体の視認により興趣性が高めるられる作用に、独自の光輝雰囲気の視認が加味されることになるので、リフレッシュ効果の向上を助長することができる。
【考案の効果】
【００１３】
本考案によれば、香りを漂わせる本来の作用と、封入または浮上物体の視認により興趣性が高められる作用との複合作用によって、リフレッシュ効果を相乗的に向上させて、快適な車室内空間を造り出すことができる。
【考案を実施するための最良の形態】
【００１４】
図１は本考案の実施形態を示す半裁縦断面図である。この図において、自動車用芳香装置１は、容器２と、ゲル状芳香剤３と、密閉部材４と、キャップ５とを備え、ゲル状芳香剤３は容器２に収納されている。容器２はガラスまたは透明樹脂などの透光性材料によって成形され、その上端は開口２ａしている。そして、開口２ａの外周およびその近傍の外周に雄ネジ２ｂを設けてある。また、自動車用芳香装置１の非使用時には、容器２とキャップ５との間に密閉部材４介在させて容器２の上端開口２ａを封止している。この封止は、密閉部材４により開口２ａを塞ぎ、この状態でキャップ５の内周に設けた雌ネジ５ａを容器２の雄ネジ２ｂに螺合して締め付けて、容器２にキャップ５を被せることで密閉部材４の周縁部を開口２ａ周縁部の上端に押しつける手順によってなされる。
【００１５】
一方、ゲル状芳香剤３には、興趣性の高い物体６として１枚の鳥の羽根（たとえばアヒルの羽根）を封入してある。また、ゲル状芳香剤３に封入されている興趣性の高い物体６は、光鮮やか性に優れた物体であればより望ましい。ゲル状芳香剤３に封入されている鳥の羽根（たとえばアヒルの羽根）は、白色で調光性がよく、光の照射によって光輝くように見える。
また、キャップ５には、複数の窓５ｂを設けてある。
【００１６】
前記構成の自動車用芳香装置１は、その使用に際して、まず、キャップ５を容器２から取り外す、つぎに、密閉部材４を取り除いたのち、再度キャップ５を容器２に被せる（図２参照）。そして、自動車の車室内の適所（たとえば、ダッシュボード）に直接またはケースに収納して設置する。
【００１７】
自動車の車室内設置状態において、ゲル状芳香剤３に封入している興趣性の高い物体６であるアヒルの羽根を視認することができる。このため、ゲル状芳香剤３が香りを漂わせる本来の作用と、アヒルの羽根によりその羽根が風に舞うような軽く爽やかな状態を視認させて興趣性が高められる作用との複合作用によって、リフレッシュ効果を相乗的に向上させることができる。また、容器２には、ゲル状芳香剤３が収納されていることで、自動車の急発進、急制動、急激なハンドル操作などの異常運転時や異常振動発生時などにおいても、芳香剤３が容器から溢出するのを確実に回避することができる。
【００１８】
また、ゲル状芳香剤３によって、興趣性の高い物体６であるアヒルの羽根に調和する芳香、つまり、羽根が風に舞うような軽く爽やかなスカッシュなどの柑橘系またはラムネなどのスパークリング感のある香りを発散させるように構成することで、アヒルの羽根の視認により興趣性が高められる作用に加えて、視認したアヒルの羽根に調和する前述の香りを感じさせることができるので、リフレッシュ効果をより一層向上させることができる。
【００１９】
また、ゲル状芳香剤３に封入されている興趣性の高い物体６であるアヒルの羽根は、光鮮やか性に優れた物体でもあることから、アヒルの羽根に光が照射されるとき、アヒルの羽根は光線により光り鮮やかに輝くように見え、独特な光鮮やか性を醸し出すことができる。
【００２０】
また、ゲル状芳香剤３にコレステリック液晶の粉末７を混入すると、コレステリック液晶の粉末７が、白色光のもとで特定波長領域の光を選択的に反射する光輝剤として作用し、独自の光輝雰囲気を醸し出すので、前記アヒルの羽根の視認により興趣性が高めるられる作用に、独自の光輝雰囲気の視認が加味されるため、リフレッシュ効果の向上を助長することができる。
【００２１】
前記実施形態は、ゲル状芳香剤３に興趣性の高い物体６として前記アヒルの羽根を封入している。しかし、ゲル状芳香剤３に封入する興趣性の高い物体６としては、前記アヒルの羽根に限らず、他に様々な物が存在する。
例えば、図３に示すように、各種の花（造花）を封入してもよい。造花を興趣性の高い物体６としてゲル状芳香剤３に封入した場合には、生花のようなみずみずしさに溢れる状態を視認させ、かつ各種の花に調和する華やかな香りを感じさせてリフレッシュ効果を向上させることができる。なお、図３において、図１、図２と同一部分には、同一符号を付して重複する説明は省略する。
また、その他のものとして、純金製または金メッキ製の物が興趣性の高い物体６として推奨できる。純金製または金メッキ製の物を興趣性の高い物体６としてゲル状芳香剤３に封入した場合には、ゴージャス感やセレブ感を視認させ、かつゴージャス感やセレブ感のある雅趣に富んだ上品で優美な香りを感じさせてリフレッシュ効果を向上させることができる。
【００２２】
前記他の実施形態おいて、興趣性の高い物体６としての造花は、光鮮やか性に優れた物体であるとはいえないが、ゲル状芳香剤３に封入される純金製または金メッキ製の物は、光鮮やか性に優れた物体でもあることから、視認した純金製または金メッキ製の物体に光が照射されるとき、その物体が光線により光り鮮やかに輝くように見えるため、独特な光鮮やか性を醸し出すことができ、光鮮やかな雰囲気の視認を加味させるものであり、リフレッシュ効果の向上を助長することができる。
【００２３】
また、前記実施形態では、ゲル状芳香剤３に興趣性の高い物体６を封入した構成で説明しているが、図４に示すように、ガラスまたは樹脂製の透明な浮き玉８内に封入した色付きの液体９によって興趣性の高い物体６を構成してもよい。
これによると、自動車の振動によって色付きの液体９が揺動するので、ゲル状芳香剤３が香りを漂わせる本来の作用と、浮上物体６である色付きの液体９の視認により興趣性が高められる作用との複合作用によって、リフレッシュ効果を相乗的に向上させて、快適な車室内空間を造り出すことができる。なお、図４において、図１、図２と同一部分には、同一符号を付して重複する説明は省略する。
【図面の簡単な説明】
【００２４】
【図１】本考案の実施形態を示す半裁縦断面図である。
【図２】使用状態の一例を示す半裁縦断面図である。
【図３】本考案の他の実施形態を示す半裁縦断面図である。
【図４】本考案の他の実施形態を示す半裁縦断面図である。
【符号の説明】
【００２５】
１  自動車用芳香装置
２  透光性の容器
３  ゲル状芳香剤
６  興趣性の高い物体
７  コレステリック液晶の粉末
【図１】
0003119902.tif 000003
【図２】
0003119902.tif 000004
【図３】
0003119902.tif 000005
【図４】
0003119902.tif 000006